(57)【特許請求の範囲】
【請求項１】
それぞれ略矩形板状に形成されたケース体を重ね合わせた状態で接合し、各ケース体の間に記録ディスクを回転自在に収納するカセットケースと、
前記カセットケースの側壁部に設けられ、前記記録ディスクの一部を露出させるウインド部と、
前記カセットケースの前端縁部に沿ってスライド可能に取り付けられ、前記ウインド部を開閉するシャッタと、
捩りコイルバネの両端を延長して形成した各延長端部の先端に、それぞれ屈曲部を形成し、第１の延長端部の屈曲部が、前記シャッタに設けた移動側係止部に係止されるとともに、第２の延長端部の屈曲部が、前記カセットケースの前記シャッタがウインド部を開成する方向に移動する側のコーナ部に設けた固定側係止部に係止され、
前記ウインド部を閉成する方向にシャッタを付勢するシャッタバネと、
を有するディスクカセットにおいて、
前記固定側係止部は、前記各ケース体のうちの一方のケース体に、前記シャッタバネの第２の延長端部の屈曲部を受け止めて係止する係止溝部を形成する係止用リブを有し、
前記係止用リブは、前記各ケース体の外周リブの一部に略コ字状に形成され、前記シャッタバネの第２の延長端部の屈曲部を受け止める受け部と、
この受け部の前記シャッタバネに対向する側の端部より、受け部の開口側に延在し、受け部への屈曲部の装着をガイドするガイド部とを有し、
さらに前記ガイド部の先端よりケース体の内方に延在し、前記係止溝部より離脱したシャッタバネの屈曲部が、前記ガイド部の後方に移動するのを阻止する規制用リブを設けた、
ことを特徴とするディスクカセット。
【請求項２】
前記規制用リブは、前記カセットケースの前端縁部とほぼ直交する方向に形成されていることを特徴とする請求項１記載のディスクカセット。
【請求項３】
前記規制用リブは、前記シャッタバネの屈曲部を前記ガイド部側にスライドさせる傾斜方向に形成され、屈曲部の装着をガイドする機能を兼ねていることを特徴とする請求項１記載のディスクカセット。
【請求項４】
前記係止用リブの受け部は、前記一方のケース体の外周部を補強する外周リブと一体に形成されていることを特徴とする請求項１記載のディスクカセット。
【請求項５】
前記係止用リブのガイド部は、前記シャッタバネの第２の延長端部の屈曲部を装着する際に、この屈曲部の軌道にほぼ沿った方向に形成されていることを特徴とする請求項１記載のディスクカセット。
【請求項６】
前記規制用リブの前記シャッタバネに対向する側面に形成され、前記係止溝部より離脱して前記規制用リブ側に移動した屈曲部が、前記規制用リブの長手方向に変位するのを規制する突起部を形成したことを特徴とする請求項１記載のディスクカセット。
【請求項７】
前記シャッタは、前記カセットケースの前端縁部に沿って形成されたシャッタスライド溝に係合してガイドされ、前記カセットケースの前端縁部に沿ってスライド可能に取り付けられたスライダと、このスライダに一体に取り付けられて前記ウインド部を開閉するシャッタ板とを有することを特徴とする請求項１記載のディスクカセット。
【発明の詳細な説明】
【０００１】
【発明の属する技術分野】
本発明は、光磁気ディスク等の各種記録ディスクを収納したディスクカセットに関し、詳しくはディスクカセットに設けたシャッタを付勢するシャッタバネの取り付け構造に関するものである。
【０００２】
【従来の技術】
従来より、この種のディスクカセットにおいては、シェルと呼ばれる上下２枚のケース体を重ね合わせて一体化することにより、各ケース体の間に記録ディスクを挟持して回転自在に収容した構造のものが提供されている。
また、このディスクカセットでは、ケース体に記録再生用のウインド部を形成するとともに、このウインド部を閉成するシャッタが設けられている。
【０００３】
そして、このディスクカセットをディスクドライブ装置に装着して記録ディスクの記録再生を行う場合には、ディスクドライブ装置側の機構により、シャッタをスライドさせてウインド部より記録ディスクの記録面を露出させて記録再生を行う。
また、ディスクカセットをディスクドライブ装置より取り外すことにより、ディスクカセットに設けたシャッタバネにより、シャッタを移動して、ウインド部を閉成するようになっている。
【０００４】
このシャッタを復帰させるためのシャッタバネは、捩りコイルバネよりなり、一端をシャッタ側に係止するとともに、他端をディスクカセットの１つのコーナ部に係止したものであり、シャッタのスライド移動に伴って屈伸するようになっている。
すなわち、ウインド部を開成する際には、シャッタをコーナ部側に強制的にスライドすることで、バネの両端が互いに接近する方向にシャッタバネが屈曲し、ウインド部を閉成する際には、バネの両端が互いに離れる方向にシャッタバネが伸長し、シャッタをケースの中央方向に移動する。
【０００５】
また、シャッタバネの両端部は、Ｌ字形に屈曲され、シャッタ側に係止される端部がシャッタ板等に設けた係止孔に係止され、ケース側の端部が前述したコーナ部に設けたリブの間の係止溝に係止されている。
図５は、このようなケースのコーナ部に設けたシャッタバネの係止溝の従来例を示す図であり、図５（１）は、その要部正面図を示し、図５（２）は、その要部断面図を示している。また、図６は、前記係止溝を設けたケース体の全体を示す平面図である。
【０００６】
すなわち図５に示す係止溝は、図６に示すように、上述した２枚のケース体のうちの一方のケース体２における前端縁部の右側コーナ部４に設けられており、本図では示していないが、シャッタ板を設けたスライダは、ケース体２に形成したシャッタスライド溝２Ａに係合してガイドされ、ケース体２の前端縁部に沿って矢線Ｙ方向にスライドするようになっている。
【０００７】
また、コーナ部４には、ケース体２の外周リブ２Ｂの一部に形成した係止用リブ４Ａにシャッタバネ６の屈曲部６ａを係止する係止溝８が形成されている。
係止用リブ４Ａは、略コ字状に形成され、シャッタバネ６の屈曲部６ａを受け止める受け部４ａと、この受け部４ａの前記シャッタバネに対向する側の端部より、受け部４ａの開口側に延在し、受け部４ａへの屈曲部６ａの装着をガイドするガイド部４ｂとを有する。
【０００８】
【発明が解決しようとする課題】
しかしながら、上記従来技術において、シャッタバネ６の装着作業時に、屈曲部６ａを適正に係止溝８に係止できない場合がある。
また、一旦適正に装着されたシャッタバネ６が、その後の製造工程において、例えば図５に矢線Ｚで示す方向に負荷を受けたために、屈曲部６ａが係止溝８より離脱する場合もある。
そして、このような場合、屈曲部６ａが図５に実線で示す適正な装着状態から破線αで示すように係止用リブ４Ａのガイド部４ｂの裏側に移動してしまう場合がある。
【０００９】
このような状態で、シャッタが動作できなくなれば、その時点で、シャッタバネ６が不正な状態であると判断でき、不良品と判断できる。
しかし、屈曲部６ａがガイド部４ｂの裏側で一時的に安定した場合、シャッタバネ６が揺動可能な状態に保持され、シャッタのスライドが可能であるため、最終的な検査工程において、シャッタバネ６の装着不良を検出できない場合も生じる。
例えば、図５に示すように、係止用リブ４Ａの近傍には、ねじ止め用のボス部４Ｂ等が設けられており、屈曲部６ａがガイド部４ｂとボス部４Ｂ等の間に揺動可能に保持された場合には、シャッタバネ６があたかも適正な装着状態にあるものと誤認される。
【００１０】
なお、係止溝８より外れたシャッタバネ６は、最終的には、図５の破線βに示すように、更に大きく外れて全く機能できなくなる。
したがって、シャッタバネ６が離脱した状態の不良品のディスクカセットが出荷されてしまう問題点があった。
【００１１】
そこで本発明の目的は、シャッタバネがケースの係止溝より離脱した場合に、その不正な状態を確実に検知することができるディスクカセットを提供することにある。
【００１２】
【課題を解決するための手段】
本発明は上記目的を達成するため、それぞれ略矩形板状に形成されたケース体を重ね合わせた状態で接合し、各ケース体の間に記録ディスクを回転自在に収納するカセットケースと、前記カセットケースの側壁部に設けられ、前記記録ディスクの一部を露出させるウインド部と、前記カセットケースの前端縁部に沿ってスライド可能に取り付けられ、前記ウインド部を開閉するシャッタと、捩りコイルバネの両端を延長して形成した各延長端部の先端に、それぞれ屈曲部を形成し、第１の延長端部の屈曲部が、前記シャッタに設けた移動側係止部に係止されるとともに、第２の延長端部の屈曲部が、前記カセットケースの前記シャッタがウインド部を開成する方向に移動する側のコーナ部に設けた固定側係止部に係止され、前記ウインド部を閉成する方向にシャッタを付勢するシャッタバネとを有するディスクカセットにおいて、前記固定側係止部は、前記各ケース体のうちの一方のケース体に、前記シャッタバネの第２の延長端部の屈曲部を受け止めて係止する係止溝部を形成する係止用リブを有し、前記係止用リブは、前記各ケース体の外周リブの一部に略コ字状に形成され、前記シャッタバネの第２の延長端部の屈曲部を受け止める受け部と、この受け部の前記シャッタバネに対向する側の端部より、受け部の開口側に延在し、受け部への屈曲部の装着をガイドするガイド部とを有し、さらに前記ガイド部の先端よりケース体の内方に延在し、前記係止溝部より離脱したシャッタバネの屈曲部が、前記ガイド部の後方に移動するのを阻止する規制用リブを設けたことを特徴とする。
【００１３】
本発明のディスクカセットにおいて、シャッタバネの第２の延長端部の屈曲部が係止溝部より離脱した場合、屈曲部が係止用リブのガイド部の後方に回り込む進路を規制用リブによって遮断されることとなる。
したがって、シャッタバネの屈曲部は、シャッタバネのバネ力によって規制用リブに圧接して固定した状態に保持され、シャッタバネの動作がロックされた状態となるか、または、規制用リブの外側に更に大きく離脱して、シャッタバネが全く機能しない状態となる。
これにより、シャッタが完全に動作異常の状態となり、不良状態を容易かつ確実に検知できる。
【００１４】
【発明の実施の形態】
次に、本発明によるディスクカセットの実施の形態例について説明する。
図１は、本発明のディスクカセットのシャッタバネ装着部の構成例を示す図であり、図１（１）は、その要部正面図を示し、図１（２）は、その要部断面図を示している。また、図２は、本発明におけるディスクカセットの全体構成例を示す概略斜視図である。
【００１５】
本例のディスクカセットは、図２に示すように、それぞれ合成樹脂によりほぼ正方形の板状に形成された上側ケース体（ｕｐｐｅｒ  ｓｈｅｌｌ）１０と下側ケース体（ｌｏｗｅｒ  ｓｈｅｌｌ）１２とを互いに重ね合わせるようにねじ止めし、各ケース体１０、１２の間に記録ディスク１４を回転自在に収容するものである。
各ケース体１０、１２には、記録ディスク１４の記録面１４ａを露出させて所定の記録ヘッド（図示せず）により情報の記録再生を行うためのウインド部１０ａ、１２ａが形成されている。
【００１６】
また、上側ケース体１０には、ウインド部１０ａに連続して記録ディスク１４のセンターハブ１４ｂを装着するハブ受け孔部１０ｂが形成されている。
また、下側ケース体１２には、記録ディスク１４のセンターハブ１４ｂを受ける円形のリブ１２ｂと、記録ディスク１４の外周を囲むディスク収容部を構成する外周リブ１２ｃが設けられている。
【００１７】
なお、図２では示していないが、上側ケース体１０にも、リブ１２ｂと同形状で、記録ディスク１４のセンターハブ１４ｂを受ける円形のリブが設けられている。また、上側ケース体１０にも、外周リブ１２ｃと同形状で、記録ディスク１４の外周を囲む円形のリブが設けられており、下側ケース体１２の外周リブ１２ｃと重なることで、ディスク収容部が構成される。
また、各ケース体１０、１２には、上述したリブの他、多数の補強用リブが一体形成されている。また、各ケース体１０、１２の間には、記録ディスク１４の誤消去防止用のライトプロテクタ４２が配設される。
【００１８】
また、各ケース体１０、１２を接合して一体化したケースの前端縁部には、その幅方向に長手形状を有するスライダ１６が装着されており、このスライダ１６には、前記各ウインド部１０ａ、１２ａおよびハブ受け孔部１２ｂを閉成するためのシャッタ板１８がネジ止めされる。
スライダ１６は、ケース体１０、１２の前端縁部に形成したシャッタスライド溝に係合する係合片１６ａを有し、シャッタスライド溝にガイドされて、ケースの前端縁部に沿ってスライドするようになっている。なお、図２では、ケース体１２側のシャッタスライド溝１２ｄだけを示している。
また、シャッタ板１８は、スライダ１６へのねじ止め装着部１８ａの両側に、ケースの上下両面に延出した略長方形状のシャッタ板部１８ｂ、１８ｃを設けたものである。
なお、ケース体１０には、長尺に形成されたシャッタ板部１８ｂの先端部を安定させるためのシャッタガイド４０が装着される。
【００１９】
そして、ケース体１０、１２のシャッタがウインド部１０ａを開成する方向に移動する側のコーナ部１０Ａ、１２Ａと、シャッタのスライダ１６との間には、シャッタバネ２２が設けられている。このシャッタバネ２２は、シャッタ板１８およびスライダ１６がウインド部１０ａ、１２ａを開成する方向に移動して、コーナ部１０Ａ、１２Ａ側に接近した際に、シャッタ板１８およびスライダ１６にバネ力を付与し、ウインド部１０ａ、１２ａを閉成する方向に付勢するものである。
【００２０】
シャッタバネ２２は、図３（１）（２）に示すように、捩りコイルバネ状に形成されており、コイル部２２Ａの両端を延長して形成した各延長端部２２Ｂ、２２Ｃの先端に、それぞれ屈曲部２２ｂ、２２ｃを形成したものである。
そして、第１の延長端部２２Ｂの屈曲部２２ｂは、前記スライダ１６の一方の端部を切り欠いて形成した移動側係止部１６Ａに係止されている。なお、移動側係止部は、シャッタ板１８によって覆われ、屈曲部２２ｂの離脱防止が図られている。
【００２１】
一方、第２の延長端部２２Ｃの屈曲部２２ｃは、上側ケース体１０のコーナ部１０Ａに設けた固定側係止部に係止される。
この固定側係止部は、図１（１）に示すように、コーナ部１０Ａに、屈曲部２２ｃを係止する係止溝部２８を形成したものである。
係止溝部２８は、ケース体１０の外周リブ１０Ｂの一部に形成した係止用リブ３０に形成したものである。この係止用リブ３０は、略コ字状に形成され、シャッタバネ２２の屈曲部２２ｃを受け止める受け部３０Ａと、この受け部３０Ａのシャッタバネ２２に対向する側の端部３０ａより、受け部３０Ａの開口側に延在し、受け部３０Ａへの屈曲部２２ｃの装着をガイドするガイド部３０Ｂとを形成したものである。
【００２２】
また、ガイド部３０Ｂの端部３０ｂには、係止溝部２８よりシャッタバネ２２の屈曲部２２ｃが外れた場合に、この屈曲部２２ｃの移動範囲を制限する規制用リブ３２が設けられている。
この規制用リブ３２は、スライダ１６の移動方向と直交する方向に直杆状に形成されたものであり、係止溝部２８から外れたシャッタバネ２２の屈曲部２２ｃが、ガイド部３０Ｂの後方に移動するのを規制している。
【００２３】
特に、図１（１）に示すように、係止用リブ３０の裏側には、ケース体１０、１２をねじ止めするためのボス部３４が形成されており、規制用リブ３２は、係止溝部２８から外れたシャッタバネ２２の屈曲部２２ｃが、係止用リブ３０とボス部３４との間に移動するのを防止するものとなっている。
なお、規制用リブ３２の高さは、本例では係止用リブ３０の高さに一致しているが、係止用リブ３０の高さよりやや低いものであってもよい。
【００２４】
また、ケース体１０には、スライダ１６の係合片１６ａが係合するシャッタスライド溝１０ｃが形成されており、このシャッタスライド溝１０ｃに沿って２本のリブ３６Ａ、３６Ｂが互いに平行に形成されている。これらリブ３６Ａ、３６Ｂは、図１（２）に示すように、規制用リブ３２より低いものであり、シャッタスライド溝１０ｃ側が傾斜面状に形成されたものである。
また、これらリブ３６Ａ、３６Ｂの端部は、規制用リブ３２に連結している。そして、各リブ３６Ａ、３６Ｂは、係止溝部２８より離脱して規制用リブ３２側に移動した屈曲部２２ｃが、さらに規制用リブ３２に沿って、その長手方向に変位するのを規制するための突起部を構成している。
【００２５】
以上のような構成において、シャッタバネ２２の第２の延長端部２２Ｃの屈曲部２２ｃが、係止溝部２８に装着し損なったり、装着後に離脱した場合、係止溝部２８より離脱した屈曲部２２ｃは、規制用リブ３２側に移動し、この規制用リブ３２とリブ３６Ａ、３６Ｂによって係止された状態となる。
したがって、この状態では、シャッタバネ２２の第２の延長端部２２Ｃ側がロックされ、シャッタバネ２２が伸縮不能な状態に保持されるため、シャッタ板１８およびスライダ１６は動作できず、シャッタバネ２２の装着不良状態を容易に判定できる。
【００２６】
なお、上述のような規制用リブ３２を設けない場合には、係止溝部２８より外れたシャッタバネ２２の屈曲部２２ｃは、リブ３６Ａ、３６Ｂに沿って係止用リブ３０の裏側に移動し、係止用リブ３０とボス部３４の間に挟まれて安定してしまうが、本発明は、このような屈曲部２２ｃの移動を規制用リブ３２によって阻止するとともに、リブ３６Ａ、３６Ｂを用いて、係止溝部２８より外れたシャッタバネ２２の屈曲部２２ｃを有効にロックするようにしたものである。
【００２７】
図４は、本発明のディスクカセットのシャッタバネ装着部の他の構成例を示す図であり、図４（１）は、その要部正面図を示し、図４（２）は、その要部断面図を示している。
本例は、上述したスライダ１６の移動方向と直交方向に形成した規制用リブ３２の代わりに、傾斜方向に形成した規制用リブ４４を設けたものである。すなわち、規制用リブ４４は、ガイド部３０Ｂの端部３０ｂ側から規制用リブ４４の終端側に向かって、徐々にスライダ１６側に近づくように傾斜している。また、規制用リブ４４の傾斜角度は、ガイド部３０Ｂの傾斜角度よりも小さいものとなっている。
【００２８】
このように形成した規制用リブ４４は、シャッタバネ２２を装着する際に、屈曲部２２ｃをガイドしてガイド部３０Ｂ側に容易に導けるように機能するものである。
また、シャッタバネ２２の屈曲部２２ｃが係止溝部２８より外れた場合には、この屈曲部２２ｃを規制用リブ４４によりガイドしてガイド部３０Ｂ側へ導く。
【００２９】
なお、以上の説明では、上述したシャッタバネ２２の第１の延長端部２２Ｂの屈曲部２２ｂは、スライダ１６に形成した移動側係止部に係止したが、同様の係止部をシャッタ板１８に設けてもよい。
【００３０】
【発明の効果】
以上説明したように、本発明では、カセットケースのコーナ部に設けたシャッタバネの固定側係止部に、係止溝部より離脱したシャッタバネの屈曲部を係止して移動を規制する規制用リブを設け、係止溝部に装着し損なったり、装着後に離脱したシャッタバネを係止するようにした。
このため、シャッタバネは、その揺動を規制された状態で保持され、この状態では、シャッタが適正なスライド動作を行うことができないので、不良状態を容易かつ確実に検知することが可能となる。
したがって、シャッタバネ外れを検出するための特殊な工程を設けることなく、通常の作業工程でシャッタバネ外れを検知でき、製造コストの増大を招くことなく、製品の信頼性を確保できる。また、不良商品の市場流出を阻止でき、商品イメージの向上にも貢献できる。
【図面の簡単な説明】
【図１】本発明によるディスクカセットのシャッタバネ装着部の構成例を示す要部正面図および要部断面図である。
【図２】図１に示すディスクカセットの全体構成を示す概略斜視図である。
【図３】図１に示すディスクカセットのシャッタバネを示す平面図および側面図である。
【図４】本発明によるディスクカセットのシャッタバネ装着部の他の構成例を示す要部正面図および要部断面図である。
【図５】従来のディスクカセットのシャッタバネ装着部の構成例を示す要部正面図および要部断面図である。
【図６】図５に示すシャッタバネ装着部を設けたケース体を示す平面図である。
【符号の説明】
１０、１２……ケース体、１０ａ、１２ａ……ウインド部、１０Ａ、１２Ａ……コーナ部、１４……記録ディスク、１６……スライダ、１８……シャッタ板、２２……シャッタバネ、２２Ｂ、２２Ｃ……延長端部、２２ｂ、２２ｃ……屈曲部、２８……係止溝部、３０……係止用リブ、３０Ａ……受け部、３０Ｂ……ガイド部、３２、４４……規制用リブ、３６Ａ、３６Ｂ……リブ。
【図１】
0003575186.tif 000002
【図２】
0003575186.tif 000003
【図３】
0003575186.tif 000004
【図４】
0003575186.tif 000005
【図５】
0003575186.tif 000006
【図６】
0003575186.tif 000007